(57)【要約】      （修正有）【課題】ヒバを素材にした新しい質感を楽しめるシート材、そのシート材を用いたブックカバー及びブックカバーの製造方法を提供する。【解決手段】シート材１０は、ヒバの柾目板をスライスして形成される薄板１４ａ，１４ｂ，１４ｃ，１６ａ，１６ｂ，１６ｃを台紙１２の表裏両面に柾目が連続するように並べて貼付し押圧して形成されるものであって、そのシート材１０には目の細かい木目部分２６，２８を設けられている。シート材１０により、皮革製のブックカバーの質感とは異なる質感を持つ木製のシート材を提供することができる。また、シート材１０の目の細かい木目部分２６，２８を湾曲させて本の表紙を覆うブックカバーの覆い部を形成することにより、木製のブックカバーを形成することができる。シート材１０を用いたブックカバーを本に装着することにより、読書の間ヒバ特有の香りを楽しむことができる。【選択図】図１
2012179904.tif 000002
【特許請求の範囲】
【請求項１】
ヒバの柾目板をスライスして形成される薄板を台紙の表裏両面に柾目が連続するように並べて貼付し押圧して形成されるシート材であって、そのシート材の表面及びその裏面に目の細かい木目部分を設けることを特徴とするシート材。
【請求項２】
請求項１記載のシート材の目の細かい木目部分を湾曲させて本の表紙を覆うブックカバーの覆い部を形成することを特徴とするブックカバー。
【請求項３】
請求項１記載のシート材を裁断して本の表紙を覆うブックカバーの覆い部及び本の表紙を押さえる表紙押さえを形成し、覆い部及び表紙押さえの表裏両面を均一に研磨し、その研磨した覆い部に表紙押さえを固着した後、覆い部をＵ字状に湾曲させその湾曲部分を湯に浸して温めた後、水に浸して冷却してブックカバーを製造する方法であって、前記湾曲部分が目の細かい木目部分で形成されるようにシート材を裁断することを特徴とするブックカバーの製造方法。
【発明の詳細な説明】
【技術分野】
【０００１】
本発明は、ヒバを素材とするシート材、そのシート材を用いたブックカバー及びブックカバーの製造方法に関するものである。
【背景技術】
【０００２】
本を購入する際又は本の購入後に、本の汚れ・破損を防止するため本にブックカバーを取り付ける場合がある。従来のブックカバーは、紙、布、皮革、ブラスチックを素材とするシート材で形成されている。それらシート材で本の表紙を覆うことにより、読書時にその素材の質感（手触り、高級感等）を楽しむことができる（例えば、特許文献１）。
【先行技術文献】
【特許文献】
【０００３】
【特許文献１】特開２００９−１９６１００号公報
【発明の概要】
【発明が解決しようとする課題】
【０００４】
特許文献１のブックカバーは、皮革製の表シートと裏シートの間にクッションシートを設けるものである。これにより、皮革の質感を表出し、ブックカバーの手触りをよくしたものである。
しかし、皮革等に代わる新たな質感を持つブックカバーは未だ提供されていなかった。そこで、本願発明者は、従来のブックカバーには無い、新たな質感が楽しめるシート材、そのシート材を用いたブックカバー及びブックカバーの製造を試みた。
【０００５】
本発明は、上記問題を解決するものであって、ヒバを素材にした新しい質感を楽しめるシート材、そのシート材を用いたブックカバー及びブックカバーの製造方法を提供することを目的とするものである。
【課題を解決するための手段】
【０００６】
本発明のシート材は、ヒバの柾目板をスライスして形成される薄板を台紙の表裏両面に柾目が連続するように並べて貼付し押圧して形成されるシート材であって、そのシート材の表面及びその裏面に目の細かい木目部分を設けるようにしたものである。
【０００７】
本発明のブックカバーは、前記シート材の目の細かい木目部分を湾曲させて本の表紙を覆うブックカバーの覆い部を形成するようにしたものである。
【０００８】
本発明のブックカバーの製造方法は、前記シート材を裁断して本の表紙を覆うブックカバーの覆い部及び本の表紙を押さえる表紙押さえを形成し、覆い部及び表紙押さえの表裏両面を均一に研磨し、その研磨した覆い部に表紙押さえを固着した後、覆い部をＵ字状に湾曲させその湾曲部分を湯に浸して温めた後、水に浸して冷却してブックカバーを製造する方法であって、前記湾曲部分が目の細かい木目部分で形成されるようにシート材を裁断するようにしたものである。
【発明の効果】
【０００９】
本発明は、ヒバを素材とするものであるため、従来のブックカバーとは異なる手触り感、高級感等の質感を提供できるとともに、ヒバ特有の香り（木の香り）を楽しむことができる。
【図面の簡単な説明】
【００１０】
【図１】本発明のシート材の構造を表わす図である。
【図２】図１のシート材を用いて形成したブックカバーを表わす図である。
【図３】ブックカバーの製造方法を表わす図である。
【発明を実施するための形態】
【００１１】
本発明は、木を素材にしたシート材の折り曲げを実現するものである。
【実施例１】
【００１２】
本発明のシート材、そのシート材を用いたブックカバー及びブックカバーの製造方法を図に基づいて説明する。図１は、本発明のシート材の構造を表わす図であり、図（ａ）はシート材の表面又はその裏面を示す図、図（ｂ）は図（ａ）のＡ−Ａ断面拡大図、図（ｃ）は図１のＢ−Ｂ断面拡大図である。図２は、図１のシート材を用いて形成したブックカバーを表わす図であり、図（ａ）はシート材の裁断箇所を示す図、図（ｂ）はブックカバーの覆い部の裏面に表紙押さえを取り付ける取付部材を表す図、図（ｃ）は図（ｂ）の取付部材に表紙押さえを固着させた図である。図３（ａ）はブックカバーの製造方法を示す図であり、同図（ｂ）は本にブックカバーを装着した状態を表わす図である。
（シート材について）
シート材１０は、台紙１２（厚さ０．１ｍｍ〜０．０８ｍｍ）と、その台紙１２の表裏の両面に木工用接着剤で貼付された薄板１４ａ，１４ｂ，１４ｃ、１６ａ，１６ｂ，１６ｃとからなるものである。図１において、薄板１４ａ，１４ｂ，１４ｃは台紙１２の表面に貼付されている。薄板１６ａ，１６ｂ，１６ｃは台紙１２の裏面に貼付されている（図１）。
薄板１４ａ，１４ｂ，１４ｃ、１６ａ，１６ｂ，１６ｃは、市販の三寸角のヒバの柾目板を０．３ｍｍの厚さにスライスし、所定の長さに裁断したものである。
台紙１２の表面に貼付されている薄板１４ａ，１４ｂ，１４ｃと台紙１２の裏面に貼付されている薄板１６ａ，１６ｂ，１６ｃは、台紙１２の表面及び裏面に柾目が連続するように（冬目１８と夏目２０が交互に連続し縞模様が現れるように）並べて貼付されている（図１（ａ））。
薄板１４ａと１４ｂ，１４ｂと１４ｃのつなぎ目２２ａ，２２ｂ、薄板１６ａと１６ｂ，１６ｂと１６ｃのつなぎ目２４ａ，２４ｂは、それら薄板の左右の端部が重なっている（図１（ｃ））。なお、重ねた部分（つなぎ目）の薄板は木工用接着剤で貼り付けられ連続している。
【００１３】
シート材１０は、表面及びその裏面に目の細かい木目部分を設けるものである。図１のシート材１０の中央部分には、その表裏の両面に目の細かい木目部分２６，２８が設けられている。目の細かい木目部分２６，２８をその木目に沿ってシート材１０を折り曲げ湾曲させても、ビバを素材とするシート材１０に亀裂が入ることはない（シート材１０が割れることはない。）。また、シート材１０の薄板１４ａ，１４ｂ，１４ｃ、１６ａ，１６ｂ，１６ｃは、目の細かい木目のみで形成されるものであってもよい。なお、ヒバ以外の木、例えばスギ等を素材とするシート材では、亀裂が入るため、本発明のシート材はヒバを素材とするものに限定される。
本発明のシート材は、図１のシート材１０を押圧（プレス）することにより完成する。押圧することにより、薄板１４ａ，１４ｂ，１４ｃ、１６ａ，１６ｂ，１６ｃは台紙１２に固着される。
なお、シート材１０の押圧後、つなぎ目２２ａ，２２ｂ、２４ａ，２４ｂの薄板１４ｂ，１４ｃ、１６ｂ，１６ｃの先端部分（例えば、図１（ｃ）の角部３６，３８）は、研磨紙（サンドペーパー）で削る。
【００１４】
（ブックカバー及びその製造方法について）
押圧したシート材１０を裁断して、本の表紙を覆うブックカバーの覆い部３０と本の表紙を押さえる表紙押さえ３２を形成する（図２）。裁断の際は、覆い部３０の中央に目の細かい木目部分２６，２８が位置するように裁断する（図２（ａ））。すなわち、覆い部３０を湾曲させる部分（本の背表紙を覆う部分）が、前記目の細かい木目部分２６，２８で形成されるように裁断する。
【００１５】
裁断して形成した覆い部３０及び表紙押さえ３２の表裏両面を研磨紙で軽くかつ均一に磨く。たとえば、研磨紙４００番、６００番、１０００番、１２００番の順で磨く。これにより、手触りがよい覆い部３０及び表紙押さえ３２を形成することができる。また、曲げ易く亀裂の入り難い覆い部３０及び表紙押さえ３２を形成することができる。
【００１６】
覆い部３０の裏面に表紙押さえ３２を固着させるための取付部材３４ａ，３４ｂを木工用接着剤で固着し（図２（ｂ））、それぞれの取付部材３４ａ，３４ｂに木工用接着剤で表紙押さえ３２を貼り付け固着する（図２（ｃ））。
なお、取付部材３４ａ，３４ｂは所定の厚さを有するヒバの木で形成されるものであり、表紙押さえ３２を固着することにより、覆い部３０と表紙押さえ３２の間に本の表紙を差し込める隙間が形成される（図示せず）。また、表紙押さえ３２を固着した後、覆い部３０の外周および角（４隅）に鉋をかける。
【００１７】
覆い部３０をＵ字状に折り曲げ、湾曲した部分Ｃを湯に浸して温めた後、水に浸して冷却してブックカバー４０を形成する（図３（ａ））。湾曲した部分Ｃは、目の細かい木目部分２６，２８により形成されているため、折り曲げても湾曲した部分Ｃに亀裂が入ることはない。
【００１８】
本４２に図３（ａ）のブックカバー４０を装着する。装着した状態では、目の細かい木目部分２６，２８が本４２の背表紙を覆うように装着される（図３（ｂ））。
【００１９】
以上のように、本発明によると、木（ヒバ）を素材したシート材を提供することができる。これにより、皮革製等のシート材の質感とは異なる質感を持つ木製のシート材を提供することができる。また、本発明のシート材を用いたブックカバーを本に装着することにより、読書の間ヒバ特有の香りを楽しむことができる。さらには、ヒバは抗菌性を有することが知られているため、衛生的に優れたものである。
【００２０】
本発明のシート材は、表面を研磨紙（６００番）で軽く研磨することにより、汚れを除去でき、またその研磨により木の香りも甦らせることができる。よって、本発明のシート材は、その質感・香りを再生させることができるものであり、ヒバの質感を常に楽しめるものである。
なお、本発明のシート材は、ブックカバー以外の用途にも使用できるものである。たとえば、パッケージ材、各種建築用素材、化粧材、装飾材などに使用できる。
【符号の説明】
【００２１】
１０  シート材
１２  台紙
１４，１６  薄板
１８，２０  柾目
２６，２８  目の細かい木目部分
３０  覆い部
３２  表紙押さえ
４０  ブックカバー
【図１】
2012179904.tif 000003
【図２】
2012179904.tif 000004
【図３】
2012179904.tif 000005